(57)【要約】  【課題】  見栄えがよく、安定した風向調整が可能な車両用風向調整装置を提供する。  【解決手段】  ケース１ａに設けられた空気吹き出し口１ｂより車室内へ吹き出される空気の風向を調整する車両用風向調整装置であって、ケース１ａの空気吹き出し口１ｂ側に、連結リンク８により端部側が互に連動された複数のルーバ４ａ，５ａを回動自在に設けると共に、連結リンク８とケース１ａの間に、ルーバ４ａに設けられた操作ノブ１１によりルーバ５ａを回動した際クリック感を発生するクリック発生手段１０を設けたもので、各ルーバ４ａの間から連結リンク８が見えることがないので、見栄えがよい上、操作ノブ１１と離れた位置にクリック発生手段１２が設けられているので、ルーバ４ａの操作位置によって操作力にバラツキが生じることもないため、安定した風向調整が可能になる。【選択図】  図２
2005199898.tif 000002
【特許請求の範囲】
【請求項１】
ケースに設けられた空気吹き出し口より車室内へ吹き出される空気の風向を調整する車両用風向調整装置であって、前記ケースの前記空気吹き出し口側に、連結リンクにより端部側が互に連動された複数のルーバを回動自在に設けると共に、前記連結リンクと前記ケースの間に、前記ルーバに設けられた操作ノブにより前記ルーバを回動した際クリック感を発生するクリック発生手段を設けたことを特徴とする車両用風向調整装置。
【請求項２】
前記ルーバを、前記連結リンクにより端部側が互いに連動された複数の横ルーバと、前記連結リンクにより端部側が互いに連動された複数の縦ルーバとから構成し、かつ前記各連結リンクの少なくとも一方と前記ケースとの間に、前記クリック発生手段を設けてなる請求項１に記載の車両用風向調整装置。
【請求項３】
前記クリック発生手段を、前記連結リンクの移動方向に突設された突条と、前記突条に弾性的に圧接された位置決め突起とから構成し、かつ前記突条に前記位置決め突起が嵌入する少なくとも１個の凹部を形成すると共に、前記位置決め突起を前記ケースに固定されたスペーサまたは前記連結リンクの一方に、また前記突条を前記ケースに固定された前記スペーサまたは前記連結リンクの他方に設けてなる請求項１または２に記載の車両用風向調整装置。
【請求項４】
前記突条の中央部に、前記ルーバが中立位置になったときに前記位置決め突起が嵌入する凹部を、また前記突条の両端側に、前記ルーバが最大許容角度になったときに前記位置決め突起が当接するストッパを突設してなる請求項３に記載の車両用風向調整装置。
【発明の詳細な説明】
【技術分野】
【０００１】
本発明は車室内へ吹き出される空気の風向を調整する車両用風向調整装置に関する。
【背景技術】
【０００２】
従来、自動車等の車両には、エアコンデショナ（エアコン）により温度および湿度が調整された空気を車室内へ吹き出す空気吹き出し口が、例えばインストルメントパネル等に開口されており、これら空気吹き出し口には、吹き出される空気の風向を調整する風向調整装置が設けられている。
【０００３】
また従来の風向調整装置は、複数の前ルーバと後ルーバがケース内の前後に配置されていて、前ルーバに設けられた操作ノブを上下及び左右に操作して、前後ルーバの角度を変えることにより、空気吹き出し口より吹き出される空気の風向を調整するように構成されている（例えば特許文献１）。
【特許文献１】特開平１０−２２０８６０号公報。
【０００４】
前記特許文献１に記載された「空調用吹き出し口装置」では、風向調整する操作ノブ側に複数の位置決めノッチが形成されていて、この位置決めノッチ群に、固定ブレードに一体形成された弾性舌片より突設された位置決め突起が係合されている。
【０００５】
また位置決めノッチ群と反対側の固定ブレードに１個または複数個の突起が形成されていて、これら突起と弾性舌片との間で操作ノブが弾性的に挟着されており、位置決めノッチ群と位置決め突起により、操作ノブを操作位置に保持できるように構成されている。
【発明の開示】
【発明が解決しようとする課題】
【０００６】
しかし前記特許文献１に記載された風向調整装置では、操作ノブ自体にデテント手段が設けられているため、操作ノブを操作した際クリック感が直接手に伝わって操作感（フィーリング）がよくない上、前ルーバの操作位置によって操作ノブの操作力が変化してしまい、このため、操作力にバラツキが生じて安定感が得られない等の問題がある。
【０００７】
また操作ノブと後ルーバを連動する連結リンクが後ルーバの前縁部に横方向に設けられているため、空気吹き出し口より吹き出される空気を例えば上方向へ風向した際、前ルーバの羽根の間から連結リンクが見えてしまい、見栄えが悪い上もがある。
【０００８】
本発明はかかる従来の問題を改善するためになされたもので、安定した風向調整が可能で、しかも見栄えがよい車両用風向調整装置を簡単な構成で提供することを目的とするものである。
【課題を解決するための手段】
【０００９】
本発明の車両用風向調整装置は、ケースに設けられた空気吹き出し口より車室内へ吹き出される空気の風向を調整する車両用風向調整装置であって、ケースの空気吹き出し口側に、連結リンクにより端部側が互に連動された複数のルーバを回動自在に設けると共に、連結リンクとケースの間に、ルーバに設けられた操作ノブによりルーバを回動した際クリック感を発生するクリック発生手段を設けたものである。
【００１０】
前記構成により、操作ノブと離れた位置にクリック発生手段が設けられているので、操作ノブを操作したときに発生するクリック感が直接手に伝わらないため、操作フィーリングが向上する上、ルーバの操作位置によって操作力にバラツキが生じることもないため、安定した風向調整が可能になる。
【００１１】
また風向調整すべく操作ノブを操作してルーバを所望の方向へ回動しても、各ルーバの間から連結リンクが見えることがないので、見栄えがよくなる上、連結リンクが空気吹き出し口より吹き出される空気を妨げることがないため、吹き出し効率も向上する。
【００１２】
本発明の車両用風向調整装置は、ルーバを連結リンクにより端部側が互いに連動された複数の横ルーバと、連結リンクにより端部側が互いに連動された複数の縦ルーバとから構成し、かつ各連結リンクの少なくとも一方とケースとの間にクリック発生手段を設けたものである。
【００１３】
前記構成により、横ルーバと縦ルーバにより上下左右の風向調整が容易に行えると共に、横ルーバまたは縦ルーバにより風向調整をした際、クリック発生手段によりクリック感が得られるため、風向調整が確実に行える。
【００１４】
本発明の車両用風向調整装置は、クリック発生手段を連結リンクの移動方向に突設された突条と、突条に弾性的に圧接された位置決め突起とから構成し、かつ突条に位置決め突起が嵌入する少なくとも１個の凹部を形成すると共に、位置決め突起をケースに固定されたスペーサまたは連結リンクの一方に、また突条をケースに固定されたスペーサまたは連結リンクの他方に設けたものである。
【００１５】
前記構成により、位置決め突起と突条の弾性接触による摩擦抵抗により、操作ノブを操作した際に適度の操作力が得られるため、操作性が向上すると共に、クリック発生手段の構造も簡単なため、組み立てに要する工数と部品点数の削減が図れるようになる。
【００１６】
本発明の車両用風向調整装置は、突条の中央部に、ルーバが中立位置になったときに位置決め突起が嵌入する凹部を、また突条の両端側に、ルーバが最大許容角度になったときに位置決め突起が当接するストッパを突設したものである。
【００１７】
前記構成により、ルーバを中立位置に保持する操作が容易に行える上、許容最大角以上にルーバを操作できなくなるため、操作ノブやルーバの破損を未然に防止できる。
【発明の効果】
【００１８】
本発明の車両用風向調整装置によれば、操作ノブと離れた位置にクリック発生手段が設けられているので、ルーバの操作位置によって操作力にバラツキが生じることもないため、安定した風向調整が可能となり、しかも、各ルーバの間から連結リンクが見えることがないので、見栄えがよくなる。
【発明を実施するための最良の形態】
【００１９】
本発明の実施の形態を、図面を参照して詳述する。
【００２０】
図１は風向調整装置の横断面図、図２はクリック発生手段付近の斜視図、図３はクリック発生手段の分解斜視図、図４は図２のＡ−Ａ線に沿う断面図、図５は図２のＢ−Ｂ線に沿う断面図、図６は作用説明図である。
【００２１】
風向調整装置本体１は、図１に示すようにほぼ角筒状のケース１ａを有している。
【００２２】
ケース１ａは、例えば車室内の前部に設けられたインストルメントパネル２の内側に取り付けられていて、ケース１ａの前面側開口部が空気吹き出し口１ｂとなっており、空気吹き出し口１ｂの周囲には額縁状のフィニッシャ１ｃが一体に形成されている。
【００２３】
ケース１ａの後部側開口部１ｄは、ダクト１２により図示しないエアコンに接続されていて、エアコンにより調和された空気がケース１ａ内へ送り込まれるようになっており、ケース１ａの空気吹き出し口１ｂ側内部には、空気吹き出し口１ｂより車室内へ吹き出される空気の風向を調整する前ルーバ４と後ルーバ５が前後に配置されている。
【００２４】
前ルーバ４は図２に示すように、複数本の横ルーバ４ａにより構成されていて、各横ルーバ４ａの両端面には、前縁側に寄った位置に軸ピン４ｂが突設されており、これら軸ピン４ｂはケース１ａの両側内面に設けられたスペーサ３に回動自在に支承されている。
【００２５】
各横ルーバ４ａの一端面には、後縁側に寄った位置に連動ピン４ｃが突設されていて、これら連動ピン４ｃは、各横ルーバ４ａの回転動作を連動する連結リンク６のピン孔６ａに回動自在に嵌合されている。
【００２６】
スペーサ３はケース１ａの高さ方向に細長い板体により形成されていて、長手方向に等間隔にピン孔３ａが形成されており、ケース１ａの両側内面に形成された凹段部１ｆ内に嵌着されていて、ケース１ａの両側内面との間に段差が生じないようになっている。
【００２７】
後ルーバ５は図２に示すように、複数本の縦ルーバ５ａにより構成されていて、各縦ルーバ５ａの上下端面には、前縁側に寄った位置に軸ピン５ｂが突設されており、これら軸ピン５ｂは、ケース１ａの上下内面に設置されたスペーサ７のピン孔7ａに回動自在に嵌合されている。
【００２８】
スペーサ７はケース１ａの幅方向に細長い板体により形成されていて、長手方向に等間隔にピン孔7ａが形成されており、ケース１ａの上下内面に形成された凹段部１ｇ内に嵌着されていて、ケース１ａの上下内面との間に段差が生じないようになっている。
【００２９】
各縦ルーバ５ａの上端部には、後縁側に寄った位置に連結ピン５ｃが突設されていて、これら連結ピン５ｃは、各縦ルーバ５ａの回動動作を連動する連結リンク８のピン孔８ａに回動自在に嵌合されており、連結リンク８と上側のスペーサ７の間に、クリック発生手段１０が設けられている。
【００３０】
クリック発生手段１０は、前ルーバ４に設けられた操作ノブ１１を操作して風向調整する際、操作ノブ１１に適度の抵抗感とクリック感を発生するもので、図３に示すようにスペーサ７の下面に突設された位置決め突起１０ａと、連結リンク８の上面に突設された突条１０ｂとからなる。
【００３１】
操作ノブ１１は、前ルーバ４の中段に位置する横ルーバ４ａに設けられていて、横ルーバ４ａの長手方向、すなわち左右方向に摺動自在に支承されており、操作ノブ１１の後端に形成された２股部１１ａに、後ルーバ５の中央に位置する縦ルーバ５ａの前縁部に形成された軸部５ｄが嵌合されていて、操作ノブ１１を左右方向に操作することにより、連結リンク８により連動された各縦ルーバ５ａが軸ピン５ｂを中心に同じ方向へ同じ角度回動できるようになっている。
【００３２】
連結リンク８の上面に突設された突条１０ｂは図３に示すように、連結リンク８の後縁に沿って長手方向に形成されていて、中央部にスペーサ７の下面に突設された位置決め突起１０ａが嵌合することにより、縦ルーバ５ａを中立位置に位置決めする凹部１０ｃが切り欠き形成されている。
【００３３】
また突条１０ｂの両端側の長さは、操作ノブ１１により縦ルーバ５ａを左右方向へ最大許容角度回動した場合でも、位置決め突起１０ａより突条１０ｂが外れない長さに設定されていると共に、スペーサ７より突設された位置決め突起１０ａの周辺をほぼコ字形に切り欠くことにより上下方向に弾性を有する弾性舌片１０ｄが形成されていて、この弾性舌片１０ｄに連結リンク８の移動方向と直行する方向に位置決め突起１０ａが突設されており、弾性舌片１０ｄの弾性により突条１０ｂの稜線部に位置決め突起１０ａが弾性的に圧接されている。
【００３４】
次に前記構成された車両用風向調整装置の作用を説明する。
【００３５】
図１に示すようにケース１ａ内に前ルーバ４と後ルーバ５が組み込まれた風向調整装置本体１は、例えばインストルメントパネル２の内側へ取り付けられて使用されるようになっており、前ルーバ４に取り付けられた操作ノブ１１が図１に示す中央位置では、各後ルーバ５の各縦ルーバ５ａは中立位置にあり、またクリック発生手段１０の位置きめ突起１０ａは、連結リンク８の上面に突設された突条１０ｂの中央部に設けられた凹部１０ｃに嵌入していて、各縦ルーバ５ａを中立位置に保持している。
【００３６】
この状態で、車室内を冷暖房したり、換気すべくエアコンの運転を開始すると、エアコンにより調和された空気がダクト１２を介してケース１ａ内へと流入され、空気吹き出し口１ｂへと向かう。
【００３７】
空気吹き出し口１ｂには、上下方向へ風向調整する前ルーバ４と、左右方向へ風向調整する後ルーバ５が設けられていて、後ルーバ５が図１に示すように中立状態では、空気吹き出し口１ｂより吹き出される空気は車室内を直進し、この状態で操作ノブ１１を上下操作して、横ルーバ４ａの角度を上下方向に変えることにより、上下方向の風向調整が行える。
【００３８】
またこの状態から例えば左方向へ風向調整する場合は、操作ノブ１１を左方向へ操作する。
【００３９】
これによって連結リンク８により連動された縦ルーバ５ａが軸ピン５ｂを中心に右方向へ回動すると同時に、連結リンク８は図６に示すように右方向へと移動されるため、クリック発生手段１０の位置きめ突起１０ａが図４に示すように、凹部１０ｃより突条１０ｂの稜線部へと乗り上げ、このとき操作ノブ１１にクリック感が発生する。
【００４０】
その後さらに操作ノブ１１を左方向へ操作することにより、空気吹き出し口１ｂより吹き出される空気の風向を任意に調整することができると共に、このとき弾性舌片１０ｄの弾性力により位置決め突起１０ａが図５に示すように突条１０ｂの稜線部へと圧接されるため、両者の摩擦抵抗により操作ノブ１１に適度の操作力が得られると共に、風向調整後操作ノブ１１から手を離しても、位置決め突起１０ａと突条１０ｂの摩擦力により各縦ルーバ５ａはその位置に保持される。
【００４１】
またこの状態で操作ノブ１１を上下方向へ操作することにより、左方向へ風向を調整した状態で、上下方向の風向調整を行うこともできる。
【００４２】
一方図１に示す各縦ルーバ５ａの中立位置から右方向へ風向調整すべく操作ノブ１１を右方向へ操作すると、各縦ルーバ５ａが右方向へ回動されると同時に連結リンク８が左方向へと移動されるため、左方向へ風向調整する場合と同様に、操作ノブ１１にクリック感と適度の操作力が得られると共に、各縦ルーバ５ａが右方向へ回動されることにより、空気吹き出し口１ｂより車室内へ吹き出される空気の右方向への風向調整が行える。
【００４３】
またこの状態で操作ノブ１１を上下方向へ操作することにより、左方向へ風向調整した状態で、上下方向の風向調整を行うこともできる。
【００４４】
なお図８ないし図１２はクリック発生手段１０の変形例を示すもので、次にこれらを説明する。
【００４５】
図７に示す変形例は、スペーサ７側に突条１０ｂを、そして連結リンク８側に位置決め突起１０ａを設けたもので、位置決め突起１０ａを突条１０ｂに弾性的に圧接させるために、連結リンク８の中央部に弾性舌片１０ｄを突設して、この弾性舌片１０ｄの上面に位置決め突起１０ａを突設している。
【００４６】
また図８及び図９に示す変形例では、クリック発生手段１０の突条１０ｂの中央部以外の場所にも凹部１０ｅを形成して、操作ノブ１１を左右方向へ操作した際、複数段階にクリック感が発生するようにしたもので、特に中央部の凹部１０ｃの右側に凹部１０ｅを形成しておくことにより、図９に示すように使用頻度の高い運転者１３側への風向調整が容易に行えるようになる。
【００４７】
また図１０及び図１１に示す変形例では、クリック発生手段１０の突条１０ｂの長さを前記実施の形態のものより短くし、かつその両端側にストッパ１０ｆを突設して、各縦ルーバ５ａを右または左へ最大許容角度回動させた際に、突条１０ｂの端部とストッパ１０ｆの間に図１１に示すように位置決め突起１０ａが落ち込むようにしたもので、これによって操作ノズル１１を操作して、各縦ルーバ５ａを右または左へ最大許容角度回動させたときにクリック感が発生すると同時に、ストッパ１０ｆにより操作ノブ１１の移動が規制されるため、操作ノブ１１を無理に操作したために、操作ノブ１１が許容移動範囲を越えて破損する等の不具合を未然に防止することができる。
【００４８】
さらに図１２に示す変形例では、後ルーバ５側のみならず前ルーバ４側にも同様なクリック発生手段１０を設けたもので、操作ノブ１１により前ルーバ４を上下方向に操作した際にもクリック感が得られるようになる。
【００４９】
なお前記実施の形態及び変形例では、クリック発生手段１０を後ルーバ５の上方に設けたが、各縦ルーバ５ａを連動する連結リンク８が縦ルーバ５ａの下側にある場合は、クリック発生手段１０を後ルーバ５の下方に設けるようにしてもよく、必要に応じて上下に設けてもよい。
【産業上の利用可能性】
【００５０】
本発明は、操作ノブと離れた位置にクリック発生手段が設けられているので、ルーバの操作位置によって操作力にバラツキが生じることもないため、安定した風向調整が可能となり、しかも、各ルーバの間から連結リンクが見えることがないので、見栄えがよくなる等の効果を有するために、車両用風向調整装置等に有用である。
【図面の簡単な説明】
【００５１】
【図１】本発明の実施の形態になる車両用風向調整装置の横断面図である。
【図２】本発明の実施の形態になる車両用風向調整装置に設けられた前ルーバと後ルーバの斜視図である。
【図３】本発明の実施の形態になる車両用風向調整装置に設けられたクリック発生手段付近の斜視図である。
【図４】図２のＡ−Ａ線に沿う断面図である。
【図５】図２のＢ−Ｂ線に沿う断面図ある。
【図６】本発明の実施の形態になる車両用風向調整装置の作用説明図である。
【図７】本発明の実施の形態になる車両用風向調整装置に設けられたクリック発生手段の変形例を示す説明図である。
【図８】本発明の実施の形態になる車両用風向調整装置に設けられたクリック発生手段の変形例を示す説明図である。
【図９】本発明の実施の形態になる車両用風向調整装置に設けられたクリック発生手段の変形例を示す作用説明図である。
【図１０】本発明の実施の形態になる車両用風向調整装置に設けられたクリック発生手段の変形例を示す説明図である。
【図１１】本発明の実施の形態になる車両用風向調整装置に設けられたクリック発生手段の変形例を示す作用説明図である。
【図１２】本発明の実施の形態になる車両用風向調整装置に設けられたクリック発生手段の変形例を示す斜視図である。
【符号の説明】
【００５２】
１ａ    ケース
１ｂ    空気吹き出し口
４      前ルーバ
４ａ    横ルーバ
５      後ルーバ
５ａ    縦ルーバ
７      スペーサ
８      連結リンク
１０      クリック発生手段
１０ａ    位置決め突起
１０ｂ    突条
１０ｃ    凹部
１０ｆ    ストッパ
【図１】
2005199898.tif 000003
【図２】
2005199898.tif 000004
【図３】
2005199898.tif 000005
【図４】
2005199898.tif 000006
【図５】
2005199898.tif 000007
【図６】
2005199898.tif 000008
【図７】
2005199898.tif 000009
【図８】
2005199898.tif 000010
【図９】
2005199898.tif 000011
【図１０】
2005199898.tif 000012
【図１１】
2005199898.tif 000013
【図１２】
2005199898.tif 000014